(57)【要約】      （修正有）【課題】患者の脱落を防止し、カーボン板の保管場所の確保の必要がないマットレスおよびＸ線透視撮影装置を提供する。【解決手段】Ｘ線透視撮影装置は、Ｘ線管と、それに対向して配置されたＸ線検出器と、それらの間に患者を横臥させるための天板と、この天板と患者の間に挿入され患者の身体的負担を軽減するマットレスを備える。マットレスは、一方の端の幅が狭くなり、他方の端の幅が広くなっており、少なくともこの他方の端に、患者の脱落を防止する機械的強度を持つとともにＸ線を透過する材料からなる補強板を内蔵する。【選択図】図１
0003167545.tif 000002
【実用新案登録請求の範囲】
【請求項１】
Ｘ線透視撮影装置用に使用され、身体的負担を軽減するために患者の下側に敷くマットレスであって、一方の端の幅が狭くなり、他方の端の幅が広くなっており、少なくともこの他方の端側に、患者の脱落を防止する機械的強度を持つとともにＸ線を透過する材料からなる補強板を内蔵することを特徴とするマットレス。
【請求項２】
Ｘ線管と、それに対向して配置されたＸ線検出器と、それらの間に患者を横臥させるための天板と、この天板と患者の間に挿入され患者の身体的負担を軽減するマットレスを備え、前記Ｘ線管から発生し前記患者を透過したＸ線を前記Ｘ線検出器で検出することによりＸ線透視撮影を行うＸ線透過撮影装置において、前記マットレスは、一方の端の幅が狭くなり、他方の端の幅が広くなっており、少なくともこの他方の端に、患者の脱落を防止する機械的強度を持つとともにＸ線を透過する材料からなる補強板を内蔵することを特徴とするＸ線透視撮影装置。
【考案の詳細な説明】
【技術分野】
【０００１】
本考案は放射線を使用した透視撮影に使用されるマットレスおよびＸ線透視撮影装置に関する。
【背景技術】
【０００２】
Ｘ線透視撮影装置は、天板と称される台上に横臥した被検者に、Ｘ線管からのＸ線を照射し、Ｘ線検出器によって被検者を透過したＸ線像を撮影記録し、被検者（以下、患者と称す）の検査情報を得るものである。天板には撮影全般を管理する術者の操作により、撮影部位に応じて天板を最適の位置に移動するための構造が設けられる。
【０００３】
Ｘ線管およびＸ線検出器は患者をはさんで、Ｃアームと呼ばれるＣ字形状をしたアームの両端部にそれぞれ配設される（たとえば特許文献１参照）。両者相互の距離は必要に応じて術者によって調節される。
【０００４】
Ｃアームはその中央部にある水平方向の回転軸の周りに回転するので、Ｘ線管およびＸ線検出器を結ぶ方向の角度や上下関係は必要に応じて変更される。天板の形状は、局部血管撮影等を考慮し、Ｘ線検出器が患者の撮影部位にできるだけ密着できるように、Ｘ線検出器側、すなわち天板の先端側で水平方向の幅が狭くなっている。
【０００５】
下肢の血管造影撮影などが行われる際に、患者がＣアーム側に頭部を向けた姿勢（以下、この方向を順方向と称す）では下肢まで透視・撮影領域が届かない。この場合は患者を頭足逆向きに天板に横臥させる（以下、逆方向横臥と称す）ことで下肢の透視・撮影が行われる。以下、順方向横臥時の撮影を順方向撮影、逆方向横臥時の撮影を逆方向撮影と称する。
【０００６】
図５に装置の主要な構成を示す。天板１０１は基台１０２上に配設される。マットレス１０３は可撓性材料で作製されており、高硬度材料の天板１０１と患者Ｍの中間に置かれて患者Ｍの身体的負担を軽減する。天板１０１には術者１１０（図５には図示せず、図６参照）が撮影操作を行うための操作盤１０４が側面に配設される。
【０００７】
Ｃアーム１０５の端部にはＸ線管１０６およびＸ線検出器１０７が装着される。Ｃアーム１０５はアーム軸１０８を介してアーム台１０９に取り付けられ、必要によりアーム軸１０８を中心に回転する。
【０００８】
図６は逆方向撮影時の患者Ｍと装置の位置関係を横方向から示している。天板１０１の水平方向の形状は図５に示すようにＣアーム１０５側では幅狭、基台１０２側では幅広である。類似形状のマットレス１０３も通常、天板１０１と同じ向きに設置されるので、患者Ｍの下肢部は上記の幅狭の部分になる。
【０００９】
逆方向に横臥している患者Ｍの下肢部は天板１０１およびマットレス１０３の幅から左右外方に出ているので、カーボン板１１１が挿入されていない場合は患者Ｍの下肢部は天板１０１から脱落するが、カーボン板１１１の挿入により脱落は防止される。カーボン板１１１にはＸ線減衰の障害が少なく剛性と機械強度が大きい炭素加工品が主材料として使用される。
【００１０】
図７に逆方向撮影時のマットレス１０３へのカーボン板１１１の配設位置を斜視図で示した。なおマットレス１０３は前記のように可撓性材料で作製されているので、逆方向撮影時にたとえマットレス１０３を逆方向に設置しても、マットレス１０３のみでは患者Ｍの脱落を防止することはできない。
【先行技術文献】
【特許文献】
【００１１】
【特許文献１】特開２００８−１０４４９１号公報
【考案の概要】
【考案が解決しようとする課題】
【００１２】
天板およびマットレスは前記のように、Ｘ線検出器が患者の撮影部位にできるだけ密着できるようにＸ線検出器側、すなわち天板の先端側で幅が狭くなっており、患者を逆方向横臥させると狭い部分に下肢部が載置されるため、下肢部が天板から脱落する危険がある。
【００１３】
従来の装置では、逆方向横臥の場合に前記のようにカーボン板を天板の狭くなった部分に置いて、下肢部が載置される箇所の剛性と機械強度を補助的に改善して使用していた。
【００１４】
しかしこの方法は、カーボン板の適切な固定がなされていないため、撮影中および撮影前後のカーボン板の位置ずれによって患者の支持が不安定になり、患者が天板面から脱落する危険が充分除去できない。
【００１５】
また、カーボン板を使用しない期間の保管場所を設ける必要があり、保管中の紛失や損傷も発生するため、術者や装置の保守関係者の負担が増加していた。
【課題を解決するための手段】
【００１６】
本考案が提供するマットレスは、Ｘ線透視撮影装置用に使用され、身体的負担を軽減するために患者の下側に敷くマットレスであって、一方の端の幅が狭くなり、他方の端の幅が広くなっており、少なくともこの他方の端側に、患者の脱落を防止する機械的強度を持つとともにＸ線を透過する材料からなる補強板を内蔵する。
【００１７】
また、本考案が提供するＸ線透視撮影装置は、Ｘ線管と、それに対向して配置されたＸ線検出器と、それらの間に患者を横臥させるための天板と、この天板と患者の間に挿入され患者の身体的負担を軽減するマットレスを備え、前記Ｘ線管から発生し前記患者を透過したＸ線を前記Ｘ線検出器で検出することによりＸ線透視撮影を行うＸ線透過撮影装置において、一方の端の幅が狭くなり、他方の端の幅が広くなっており、少なくともこの他方の端に、患者の脱落を防止する機械的強度を持つとともにＸ線を透過する材料からなる補強板を内蔵する前記マットレスを備える。
【考案の効果】
【００１８】
本考案のマットレスに内蔵された補強板は、患者全身の体重によってマットレスとともに天板に安定に保持されるので、逆方向横臥の検査中に何らかの外力が働いたとしても、患者が天板からずり落ちる危険はない。従来使用されていた独立したカーボン板を挿入する必要が無く、本考案のマットレスを敷くだけで使用することができる。また患者の頭部をＣアーム側に向けた通常使用時も、補強板がマットレスの中にあるので取り外す必要がなく、紛失や損傷の心配もないので、撮影準備や装置の保守を含め、作業が簡単化される。
【図面の簡単な説明】
【００１９】
【図１】本考案のマットレスおよびＸ線透視撮影装置を示す斜視図である。
【図２】本考案のマットレスの構造を示す断面図である。
【図３】本考案のマットレスの、逆方向撮影時の使用状況を示す斜視図である。
【図４】本考案のマットレスの、順方向撮影時の使用状況を示す斜視図である。
【図５】従来の透視撮影装置の主要構成を示す斜視図である。
【図６】従来の透視撮影装置の逆方向撮影を示す図である。
【図７】従来の透視撮影装置の逆方向撮影時のマットレスとカーボン板の組み合わせを示す斜視図である。
【考案を実施するための形態】
【００２０】
Ｘ線透視撮影装置（以下、装置と称す）は、装置の要素である透視撮影台の天板上に患者を横臥させ、患者をはさむように相対してＸ線管およびＸ線検出器を配設し、患者にＸ線を照射し、Ｘ線検出器によって患者を透過した放射線像を撮影記録し、患者の検査情報を得るものである。天板には撮影全般を管理する術者の操作により、撮影部位に応じて天板を最適の位置に移動するための構造が設けられる。
【００２１】
図１は本考案のＸ線透視撮影装置である。天板１と患者Ｍの中間には、患者Ｍの身体的負担を軽減するために、補強板２ａを内蔵した可撓性材料のマットレス２が挿入される。補強板２ａの主材料には剛性および機械強度が大きく、且つＸ線透過率の良い材料、たとえば炭素加工品などが使用される。なお、図１では患者Ｍを後記の逆方向横臥で示している。
【００２２】
天板１は基台４の上部に配設され、基台４に対して長手方向にスライド可能である。天板１の側面には、術者１１０が患者Ｍの側方で撮影操作をするための操作盤３が設けられる。Ｘ線管５およびＸ線検出器６は患者Ｍの撮影部位をはさんで、Ｃ字形状をしたＣアーム７の両端部にそれぞれ配設される。
【００２３】
Ｘ線管５およびＸ線検出器６相互の距離は、必要に応じて術者１１０によって調整される。Ｃアーム７はアーム台８に支持され、アーム軸９を回転軸として回転するので、必要によってＸ線管５とＸ線検出器６を結ぶ方向の床面に対する角度や、Ｘ線管５とＸ線検出器６の上下関係は変更される。
【００２４】
天板１およびマットレス２の形状は、局部血管造影撮影等を考慮し、Ｘ線検出器６が患者Ｍの撮影部位にできるだけ密着できるように、Ｃアーム７側、すなわち天板１の先端側で水平方向の幅が狭くなっている。
【００２５】
下肢の血管造影撮影などが行われる際に、患者がＣアーム７側に頭部を向けた姿勢（以下、この方向を順方向と称す）では下肢まで透視・撮影領域が届かない。この場合は図１に示したように、患者を頭足逆向きに天板１に横臥させる（以下、逆方向横臥と称す）ことで下肢の透視・撮影が行われる。
【００２６】
以下、順方向横臥時の撮影を順方向撮影、逆方向横臥時の撮影を逆方向撮影と称する。マットレス２は、補強板２ａが常に患者Ｍの下肢部を支持するように、患者Ｍの向きに応じて向きを定める。
【００２７】
図２（ａ）は本考案のマットレス２の斜視図である。また図２（ｂ）および（ｃ）はその断面図である。図２（ｂ）は図２（ａ）のＢ−Ｂ断面図で、補強板２ａおよび、スポンジなどの柔軟性材料で作製された緩衝材２ｂが、防水性の外皮２ｃで被覆されている。また図２（ｃ）は図２（ａ）のＣ−Ｃ断面図で、緩衝材２ｂのみが外皮２ｃで被覆されている。マットレス２は全長およそ２．５ｍで、補強板２ａはその下肢側端部からおよそ０．７ｍの部分に内蔵されている。炭素材料の補強板２ａの厚さはおよそ１０ｍｍである。
【００２８】
図３はマットレス２上の逆方向横臥の患者Ｍを示している。また、図４はマットレス２上の順方向横臥の患者Ｍを示している。どちらの場合も、患者Ｍの下肢部はマットレス２の幅の広い、かつ補強板２ａが内蔵された剛性および機械強度の大きい側に載置されている。
【００２９】
本考案は上記の形態に限定されるものではなく、種々の変形形態が可能である。たとえば補強板２ａの材料は剛性および機械強度が大きく、且つＸ線透過率の良い材料であればカーボンには限定されない。また、マットレス２の頭部側と下肢部側の厚さを揃えるために頭部側で図２（ｂ）の緩衝材２ｂの厚みを増加するか、緩衝材２ｂを複数枚使用しても良い。前記図２（ａ）の説明では補強板２ａはマットレス２の下肢側端部からおよそ０．７ｍの部分に内蔵されるとしたが、本考案は補強板２ａの寸法が限定されるものではない。さらには、補強板はマットレスの全長に入っていても良い。また本考案のマットレス２を矩形状の天板を備えたＸ線透視撮影装置に適用することも可能である。本考案はこれらをすべて包含する。
【符号の説明】
【００３０】
１  天板
２  マットレス
２ａ  補強板
２ｂ  緩衝材
２ｃ  外皮
３  操作盤
４  基台
５  Ｘ線管
６  Ｘ線検出器
７  Ｃアーム
８  アーム台
９  アーム軸
１０１  天板
１０３マットレス
１０５  Ｃアーム
１０６  Ｘ線管
１０７  Ｘ線検出器
１１０  術者
１１１  カーボン板
Ｍ  患者
【図１】
0003167545.tif 000003
【図２】
0003167545.tif 000004
【図３】
0003167545.tif 000005
【図４】
0003167545.tif 000006
【図５】
0003167545.tif 000007
【図６】
0003167545.tif 000008
【図７】
0003167545.tif 000009